(57)【要約】【課題】  誤った操作によりインターホン通話が終了しても、通話を復活して再開できるようにすること。【解決手段】  玄関機１０，４０からの呼出信号を検出したとき、通話釦２７を押すことで、玄関機とのインターホン通話を行い、通話中、再度、通話釦２７が押されると、インターホン通話が終了する住宅情報盤２０において、通話釦２７が押され、インターホン通話が終了するときに、短時間タイマ２８を起動させる。この短時間タイマ２８が起動中に、通話釦２７が押されると、先程、終了したインターホン通話を再開させる。【選択図】図２
2009055258.tif 000002
【特許請求の範囲】
【請求項１】
玄関機からの呼出信号を検出したとき、通話釦を押すことで、前記玄関機とのインターホン通話を開始し、通話中、再度、前記通話釦が押されると、インターホン通話が終了する住宅情報盤において、
前記通話釦が押され、インターホン通話が終了するとき起動する短時間タイマを設け、  該短時間タイマが起動中に、前記通話釦が押されると、前記終了したインターホン通話を再開させることを特徴とする住宅情報盤。
【請求項２】
前記住宅情報盤に表示部を設け、前記短時間タイマによるタイマ値を表示させることを特徴とする請求項１記載の住宅情報盤。
【請求項３】
玄関機からの呼出信号を検出したとき、通話釦を押すことで、前記玄関機とのインターホン通話を開始し、通話中、再度、前記通話釦が押されると、インターホン通話機能を一時的に遮断する住宅情報盤であって、
前記通話釦が押されて、前記インターホン通話機能が一時的に遮断するときに起動する短時間タイマを設け、
該短時間タイマが起動中に、前記通話釦が押されると、前記一時的に遮断したインターホン通話機能を再開させることを特徴とする住宅情報盤。
【発明の詳細な説明】
【技術分野】
【０００１】
本発明は、インターホン通話が行える住宅情報盤に関するものである。
【背景技術】
【０００２】
従来、集合住宅には、集合玄関に設けられる集合玄関機と、その集合玄関機からの呼出時に解錠釦を操作して、集合玄関に設けられたドアを解錠する住宅情報盤と、住宅情報盤と集合玄関機との通話を制御する制御装置と、住宅情報盤に接続された玄関子機(ドアホン）などから構成されているインターホンシステムが設けられる。
【０００３】
このシステムにおいて、住宅情報盤は、集合玄関機やドアホンなどの玄関機からの呼出信号を検出したとき、呼出音を出力する。そして、本体の通話釦を押すことで、玄関機とのインターホン通話が開始できるように構成されている。通話中において、再度、通話釦が押されると、通話路中のスイッチがオフして、インターホン通話は終了する（特許文献１参照）。
【特許文献１】特開２００５−４５７０４号公報
【発明の開示】
【発明が解決しようとする課題】
【０００４】
このように、通話釦の押下操作によりインターホン通話を開始、終話（終了）することができる。しかし、例えば、インターホン通話を開始する際、操作を誤って連続して通話釦を押してしまったり、または、インターホン通話中に、通話釦に誤って指が触れ、通話釦が押されてしまうと、それにより、話す前、又は話し中に、インターホン通話が終了してしまうという問題がある。
【０００５】
そこで、本発明は、誤った操作によりインターホン通話が終了しても、通話を復活して再開できるようにすることを目的とする。
【課題を解決するための手段】
【０００６】
本発明は、玄関機からの呼出信号を検出したとき、通話釦を押すことで、前記玄関機とのインターホン通話を開始し、通話中、再度、通話釦が押されると、インターホン通話が終了する住宅情報盤において、通話釦が押され、インターホン通話が終了するとき起動する短時間タイマを設け、その短時間タイマが起動中に、通話釦が押されると、終了したインターホン通話を再開させることを特徴とするものである。
【発明の効果】
【０００７】
本発明は、通話釦が押され、インターホン通話が終了するときに短時間タイマを起動させ、その短時間タイマが起動中に、再度、通話釦が押された場合には、終了したインターホン通話を再開させるように制御する。このため、誤った操作によって、通話釦が２回押され、インターホン通話が終了しても、通話を元通りにして、通話を再開できるので、再度、呼出操作を行う必要がない。
また、短時間タイマによるタイマ値は、表示部に表示され、通話を元通りにできる時間を示すので、住宅情報盤側の居住者は、そのタイマ値を見て、まだ、通話を元通りにして、再開させることができることを認識することができる。
【発明を実施するための最良の形態】
【０００８】
以下、本発明の実施の形態を、図面を用いて説明する。図１は本発明のインターホンシステムのシステム図である。図２は、住宅情報盤およびドアホンのブロック図である。図１において、１０は集合玄関（共同玄関ともいう）に設けられる集合玄関機、２０は住戸内に設けられる住宅情報盤、３８は制御装置で、集合玄関機１０と住宅情報盤２０の間に設けられる。集合玄関機１０及び住宅情報盤２０は、通話線や制御線を介して制御装置３８に接続され、この制御装置３８が、住宅情報盤２０と集合玄関機１０とのインターホン通話や解錠動作を制御している。４０は住宅情報盤２０に接続される玄関機としてのドアホンである。
【０００９】
集合玄関機１０は、住戸番号を指定するテンキー１１と、呼出釦１２と、図示しないスピーカやマイクからなる通話部１３とを有する。
【００１０】
次に、図２を用いてドアホン４０と住宅情報盤２０の内部構成について説明する。図２において、住宅情報盤２０とドアホン４０とは通話線Ｌ１で接続されている。ドアホン４０において、４１は通話線Ｌ１に接続された呼出回路で、呼出釦４２を有している。４３は通話線Ｌ１に接続された通話回路で、スピーカ４４とマイク４５とを備えている。
【００１１】
続いて、住宅情報盤２０について説明する。Ｌ３は、通話線と制御線（以下、通話制御線という）で、図示しない制御装置３８や他の住宅情報盤２０が接続されている。住宅情報盤２０において、２１は通話線Ｌ１に接続された呼出検出回路、２２は通話部で、第１の切換スイッチ２３を介して通話線Ｌ１に接続されている。この通話部２２は、第２の切換スイッチ２４を介して通話制御線Ｌ３とも接続されている。通話部２２は、スピーカやマイクを有し、集合玄関機１０の通話部１３とインターホン通話を行うものである。２５は通話制御線Ｌ３に接続された、信号送受信部で、制御装置３８とのインタフェースとして機能する。
【００１２】
２６は報知部で、呼出検出回路２１などにより、玄関機１０，４０からの呼出信号を検出したときに、呼出音を出力する。２７は通話釦で、インターホン通話を開始、終話させるものである。玄関機１０、４０からの呼出信号を検出したときに、この通話釦２７を押すことで、玄関機１０，４０とのインターホン通話を行え、通話中、再度、通話釦２７を押すことで、インターホン通話を終了させることができる。
【００１３】
２８は短時間タイマで、通話釦２７が押され、インターホン通話が終了するとき、つまり、２回目の終話の際の通話釦２７の操作によって起動するタイマである。短時間タイマ２８は、比較的短い時間である数秒、例えば２〜１０秒程度の間だけ起動するタイマである。この短時間タイマ２８が起動中に、通話釦２７が押されると、先程、終了させたインターホン通話を再開させるための制御を制御部３１により行う。
【００１４】
２９は表示部で、短時間タイマ２８によるタイマ値を表示させるものである。例えば、短時間タイマが１０秒間、起動する場合には、「１０」「９」・・・「２」「１」のように、タイマ値を、カウントダウンするように表示する。この表示部２９は、例えば、住宅情報盤本体に設けられ、訪問者の映像を映すモニタが利用される。
【００１５】
３１は電源回路３２から電源が供給された制御部で、住宅情報盤２０内の全ての構成ブロック２１〜２９と接続されて信号のやり取りをして、第１の切換スイッチ２３〜第２の切換スイッチ２４の切換動作を制御する。
【００１６】
次に、訪問者が集合玄関機１０を操作して、ある住戸の居住者を呼び出す場合について説明する。まず、集合玄関機１０において、訪問者は、テンキー１１で、訪問したい住戸の住戸番号を指定し、そして、呼出釦１２を押す。そうすると、呼出信号が出力され、制御装置３８及び通話制御線Ｌ３を介して、住宅情報盤２０の信号送受信部２５で呼出信号が受信される。ここで、住宅情報盤２０では、報知部２６から呼出音を出力して、居住者を呼び出す。居住者が通話釦２７を押すと、第２の切換スイッチ２４が閉じて、通話部２２と集合玄関機の通話部１３とでインターホン通話を行うことができる。
【００１７】
ここで、居住者が誤って、通話釦２７を連続して２回押した場合について説明する。この場合には、２度目の通話釦２７の押下により、短時間タイマ２８が起動する。一方、２度目の通話釦２７の操作により、制御部３１が、第２の切換スイッチ２４をオフさせて、通話は、一時的に遮断された状態となり、また、モニタとしての表示部２９もオフするように、制御部３１が制御する。
【００１８】
ここで、居住者が、まだ訪問者との話しが終わっていないのなら、居住者は、短時間タイマ２８が起動している数秒間の間に、もう一度、通話釦２７を押す。この操作により、制御部３１は、先程、オフした第２の切換スイッチ２４をオンにして、通話路を復活させると共に、表示部２９にも電源を供給して表示を行う。こうして、居住者は、再び、訪問者と通話をやり直すことができる。
【００１９】
訪問者との話しが完全に終われば、インターホン通話を終了させるために、居住者は、通話釦２７を押す。制御部３１は、第２の切換スイッチ２４をオフすると共に、再度、短時間タイマ２８を起動させる。この短時間タイマ２８が起動している数秒間の間、通話釦２７の操作がなければ、信号送受信部２５を介して通話終了信号が送信され、制御装置３８側で、通話路の遮断の制御が行われ、完全に、玄関機１０と住宅情報盤２０間の通話が終了することになる。
【００２０】
インターホン通話を行う集合玄関機１０側では、制御装置３８により、通話路が完全に遮断されてから、表示部に、通話が終了した旨の表示を行うようにする。これは、住宅情報盤２０側で、誤った操作により、通話釦２７が２回操作され、その時点で、インターホン通話が終了した旨を表示すると、数秒間の間で通話を復活させて再開できる機能が意味をなさなくなるからである。
【００２１】
また、住宅情報盤２０側では、通話の復活機能があることを、居住者に認識させるために次のような制御を制御部３１により行うようにしてもよい。つまり、短時間タイマ２８が起動している間は、そのタイマ値を表示部２９へ表示させるように制御する。例えば、短時間タイマが１０秒間、起動する場合には、「１０」「９」・・・「２」「１」のように、タイマ値を、カウントダウンするように表示する。
【００２２】
このように、表示部２９に、通話を元通りにできるまでの時間を示すので、住宅情報盤２０側の居住者は、そのタイマ値を見て、まだ、通話を元通りにして、再開させることができることを認識できる。なお、表示部２９以外にも、例えば、短時間タイマ２８が起動している間だけは、通話釦２７表面に設けた表示灯を点滅させることで、通話釦２７を押させるきっかけを与えるようにしてもよい。
【００２３】
なお、ドアホン４０からの呼出の場合にも同様に、通話を再開させることは可能である。この場合について説明する。訪問者が、ドアホン４０の呼出釦４２を押すと、ドアホン４０からの呼出信号が呼出検出回路２１で検出され、制御部３１は報知部２６により、ドアホン４０から呼出があることを呼出音で報知する。
【００２４】
居住者が、通話釦２７を押すと、第１の切換スイッチ２３がオンして、通話部２２とドアホン４０の通話回路４３との間で通話路が形成され、インターホン通話を行うことができる。
【００２５】
通話の最中に、誤って、再度通話釦２７が押されると、制御部３１は、第１の切換スイッチ２３をオフするように制御すると共に、短時間タイマ２８を起動させる。ここで、その短時間タイマ２８が起動中に、再度、通話釦２７が押されると、制御部３１は、第１の切換スイッチ２３をオンにして、通話路を接続して、インターホン通話が再開できるように制御する。
【００２６】
本発明は以上のように構成され、短時間タイマが起動中に、通話釦を押すことで、いったん切れた通話を再開できるようにしたが、例えば、短時間タイマが起動中に、解錠釦などの別の釦が操作されたら、通話を再開させるようにしてもよい。
【００２７】
また、通話中において、通話釦が押されることで、切換スイッチ２３，２４をオフにするようにしたが、直接、通話線に接続されている切換スイッチをオフする必要はなく、住宅情報盤に設けられた通話部や通話制御部内に設けられたアナログスイッチをオフにして、通話路を一時的に遮断することで、インターホン通話機能を使用できなくさせるようにしてもよい。この場合には、通話線に接続された切換スイッチはオフさせないで、オンのまま閉じておく。
【００２８】
このような切換スイッチのオンオフ制御によれば、次のことが言える。つまり、切換スイッチ自体はオンのまま生きているので、住宅情報盤側では、見かけ上、インターホン通話が終了しているように見えるだけである。即ち、住宅情報盤は、集合関機１０からの呼出信号を検出したとき、通話釦２７を押すことで、集合玄関機１０とのインターホン通話を開始し、通話中、再度、通話釦２７が押されると、インターホン通話機能を一時的に遮断し、その通話釦が押されてから、起動タイマによる所定時間(タイマ値に相当）が経過したら、通話線に接続された切換スイッチをオフにして、インターホン通話を完全に終了させるものである。そして、短時間タイマが起動中に、通話釦が押されると、前述の通話部などに設けたアナログスイッチをオンにして、一時的に遮断したインターホン通話機能を再開させるような制御を行うようにしてもよい。このような方式によれば、住宅情報盤で、通話中において（二度目の）通話釦が押されても、切換スイッチはオンのままであるので、通話先の集合玄関機やドアホン側では、インターホン通話は、接続されたまま生きているものと判断される。
【図面の簡単な説明】
【００２９】
【図１】本発明のインターホンシステムのブロック図である。
【図２】住宅情報盤とドアホンのブロック図である。
【符号の説明】
【００３０】
１０ 集合玄関機、  ２０  住宅情報盤  、２７  通話釦、
２８  短時間タイマ、  ２９  表示部、  ｔｔ
３１  制御部、  ３８  制御装置、  ４０  ドアホン、
【図１】
2009055258.tif 000003
【図２】
2009055258.tif 000004